(57)【要約】【課題】同一の電力線に接続されている機器のＯＮ−ＯＦＦ情報を入手することが出来るので、あらかじめ記憶済みの接続されている機器の雑音帯域以外の帯域で電力線通信を開始できる。従って、通信を開始する手順の大幅な簡略化と、高速伝送できるという事を目的とする。【解決手段】電源スイッチ検出部、電力線通信部、中央演算装置、デジタルシグナルプロセッサ、アナログフロントエンドメモリで構成する。【選択図】        図１
2004165950.tif 000002
【特許請求の範囲】
【請求項１】
電力線に接続され電力線を介して通信可能な１つ以上の通信装置で構成されている電力線通信システムおいて、前記通信装置は複数の搬送波周波数で電力線通信を行う電力線通信手段と電力供給により電力線に接続された電力線接続装置から動作中に出力される信号レベルを計測する計測手段と、前記計測手段によって計測した前記信号レベルと前記信号レベルに対応した前記電力線接続装置を記憶する記憶手段を備え、前記通信装置が電力線通信を行う際、前記電力線接続装置が動作中か否か検知し、前記電力線接続装置が動作中の場合、前記記憶手段によって前記通信装置は搬送波周波数で電力線通信を行うことを特徴とする通信装置。
【請求項２】
請求項１の通信装置において、電力供給により電力線に接続された電力線接続装置の動作開始信号を受信する動作開始受信手段を備え、前記通信装置が電力線通信を行う際、前記動作開始受信手段を受信し、前記電力線接続装置が動作中の場合、前記記憶手段から信号レベルを読み出し、電力線通信可能な搬送波周波数を選択して電力線通信を行うことを特徴とする通信装置。
【請求項３】
請求項２の通信装置において、前記通信装置は前記電力線接続装置の動作終了信号を受信する動作終了受信手段を備え、前記通信装置は電力線通信中に前記動作終了手段を受信すると、前記記憶手段によって搬送波周波数で電力線通信を行うことを特徴とする通信装置。
【発明の詳細な説明】
【０００１】
【発明の属する技術分野】
本発明は電力線通信装置に関する。
【０００２】
【従来の技術】
従来、家庭内などにおいてパーソナルコンピュータ（以下ＰＣ）同士又は、ＰＣとプリンタ間等のデータ通信などに設置済みの電力線を使用して通信を行う電力線通信装置が提案されている。この電力線通信装置は、家庭内の電力線に電力線モデム等でデータ信号を変調し、コンセントから電力線を介して他のコンセントから通信を行う対向の電力線モデムがデータ信号を受信する。受信した電力線モデムは信号を復調する。これにより電力線を用いて通信を成立させる。しかしながら、電力線通信には次のような欠点がある。
【０００３】
複数のコンセントに接続された種々の電気機器から電力線通信に使用する帯域に対して雑音が出力される。電力線に使われる配線材料が一定でない。さらに、接続トポロジーが複雑になることで特定インピーダンスが変化するため特定インピーダンスの特定が困難になり、電力線通信の信号に悪影響を与える。
【０００４】
これらにより電力線通信装置においては、安定かつ確実に電力線通信信号を伝送することが困難であるという問題があった。
【０００５】
このように安定かつ確実に電力線通信信号を伝送することが困難な場合、結局、伝送速度を低速にしなければならず、伝送時間が増大する。また信号再送を繰り返さなければならない場合があり、リアルタイムによる信号の伝送が損なわれる。
【０００６】
これらの諸問題を解決する為に、過去においてさまざまな方法が提案されている。
【０００７】
特開平１１−２３４１８０号公報では、電力線を介して安定かつ確実に情報信号を伝送することを目的に考案されたものであり、概略は次に示すものである。伝送する情報信号を異なる複数の周波数帯域により送出し、受信側において伝送品質の良い周波数帯域を選択して情報信号を受信するようにするものである。これは電力線の雑音により伝送信号の劣化を予想し、その対応策である。
【０００８】
また、特開平１１−１２７０９２号公報においては、複数台の電力線搬送通信装置に対し、電力線の周波数に特性に合わせて、異なる搬送周波数で通信していても、その異なる周波数同士間の通信を行うことが可能になるようにするものである。
【０００９】
これらの従来の提案には次のような問題点がある。
【００１０】
▲１▼情報信号を複数の周波数帯域に送出することで、伝送速度の低下を招く恐れがある。さらに周波数帯域を切替えて受信する事で回路規模が大きくなる。
【００１１】
▲２▼雑音対策のため異なる搬送周波数で電力線通信を行う。これにより相互通信を実現するには周波数相互変換器を備えなくてはならず、システムが複雑になり、さらにコスト高になる。
【００１２】
【発明が解決しようとする課題】
従来における電力線通信において、問題点の解決方法は、電力線上の雑音がどのような雑音かが全く不明の状態で電力線通信を行ない、複数の搬送波周波数を使うなどのいわゆる対処法で行なってきた。この為、手順が複雑になり、再送を繰り返す事で結局伝送速度を低下させる事になる。
【００１３】
本発明は、電力線上に接続された電気機器の雑音と雑音の出力する電気機器を対応して記憶し、これらの電気機器のＯＮ−ＯＦＦ情報を入手する事で雑音が出ている帯域を使用する事なしに電力線通信を行なう。したがって、安定かつ確実に電力線通信をすることができる電力線通信装置を提案しようとするものである。
【００１４】
【課題を解決するための手段】
本発明は下記の構成を特徴とする電力線通信装置である。
【００１５】
（１）電力線に接続され電力線を介して通信可能な１つ以上の通信装置で構成されている電力線通信システムおいて、前記通信装置は複数の搬送波周波数で電力線通信を行う電力線通信手段と電力供給により電力線に接続された電力線接続装置から動作中に出力される信号レベルを計測する計測手段と、前記計測手段によって計測した前記信号レベルと前記信号レベルに対応した前記電力線接続装置を記憶する記憶手段を備え、前記通信装置が電力線通信を行う際、前記電力線接続装置が動作中か否か検知し、前記電力線接続装置が動作中の場合、前記記憶手段によって前記通信装置は搬送波周波数で電力線通信を行うことを特徴とする通信装置。
【００１６】
（２）（１）の通信装置において、電力供給により電力線に接続された電力線接続装置の動作開始信号を受信する動作開始受信手段を備え、前記通信装置が電力線通信を行う際、前記動作開始受信手段を受信し、前記電力線接続装置が動作中の場合、前記記憶手段から信号レベルを読み出し、電力線通信可能な搬送波周波数を選択して電力線通信を行うことを特徴とする通信装置。
【００１７】
（３）（２）の通信装置において、前記通信装置は前記電力線接続装置の動作終了信号を受信する動作終了受信手段を備え、前記通信装置は電力線通信中に前記動作終了手段を受信すると、前記記憶手段によって搬送波周波数で電力線通信を行うことを特徴とする通信装置。
【００１８】
【発明の実施の形態】
（実施例）
本発明の実施例における、電力線通信装置おいて、電力線に接続されている電気機器のＯＮ−ＯＦＦ情報を入手し、動作している電気機器の出力している雑音帯域を使用しないで電力線通信を行う動作を図１〜図５に基づき説明する。
【００１９】
図１は本発明の実施例における家庭内の配線図、図２は掃除機の構成図、図３はプリンタの構成図、図４はパーソナルコンピュータ（以下ＰＣ）の構成図、図５はフローチャートである。次に構成品の概要を示す。
【００２０】
１０１は家庭内の電力線、１０２〜１０５は家庭内のコンセント、２０１は掃除機に接続された動作情報発信ボード、２０２は家庭内の電力線１０１に接続された掃除機本体、２０３は掃除機本体２０２と動作情報発信ボード２０１を接続する電源線、２０４は掃除機本体２０２の電源、２０５は掃除機本体２０２の電源を入切する電源スイッチ、２０６は電源スイッチ２０５のスイッチを検出するスイッチ検出、２０７は動作情報発信ボード２０２の中央演算装置、２０８はアナログフロントエンド（以下ＡＦＥ）、２０９はコンセント１０１などに接続するコンセントプラグ、３０１は家庭内の電力線に接続して電力線通信を行うプリンタ本体、３０２は電力線通信での信号をプリンタ本体と送受信する制御線、３０３はプリンタ本体３０１の電源を供給する電源線、３０４はＰＣ本体４０１と電力線通信を行う電力線通信部、３０５は電力線通信を制御する中央演算装置、３０６は電力線通信の信号を変復調するデジタルシグナルプロセッサ（以下ＤＳＰ）、３０７はＤＳＰ３０６で変復調された信号をＡ／Ｄ、Ｄ／Ａ変換するＡＦＥ、３０８は電力線通信の信号を送受信するドライバレシーバ、３０９は電力線上に接続された電気機器の雑音レベルと対応機器を記憶するメモリ、３１０はプリンタ本体３０１に電源を供給する電源部、３１１はコンセント１０１などに接続するコンセントプラグ、４０１は家庭内の電力線１０１を介してプリンタ本体３０１と電力線通信を行うＰＣ本体、４０２はＰＣ本体４０１のマザーボード、４０３は電力線通信を行うＰＣＩボードを実装するＰＣ本体のＰＣＩバス、４０４は電力線通信を行うＰＣＩボード、４０５はＰＣ本体４０１の電力線通信を制御する中央演算装置、４０６はＰＣ本体４０１の電力線通信の信号を変復調するＤＳＰ、４０７はＤＳＰ４０６で変復調された信号をＡ／Ｄ、Ｄ／Ａ変換するＡＦＥ、４０８は電力線通信の信号を送受信するドライバレシーバ、４０９はコンセント１０１などに接続するコンセントプラグ、４１０は電力線上に接続された電気機器の雑音レベルと対応機器を記憶するメモリである。
【００２１】
図５のスタートで動作開始となる（Ｓ５０１）。ＰＣ本体４０１とプリンタ本体３０１の電力線通信に先立ち、同一の電力線１０１に接続されて動作する掃除機２０２が出力する雑音レベルがどの程度なのかを測定する。この手順は、掃除機本体２０２を動作させ、ＰＣ本体４０１の電力線通信ＰＣＩボード４０４で検出する。
【００２２】
掃除機２０２を動作中に電力線１０１のドライバレシーバ４０８を経由して入力される雑音信号をＡＦＥ４０７でＡ／Ｄし、ＤＳＰ４０６で復調する。復調された信号をＰＣＩボード４０４の中央演算装置４０５は、電力線通信で使用するキャリアのどの部分が使えるかをメモリ４１０に記憶する。この時に雑音信号とその発生源も対応づけて記憶する（Ｓ５０２）。ここではＰＣ本体４０１での記述にとどめるが、プリンタ本体３０１についてもこの動作は行なわれる。
【００２３】
電力線通信の開始の要求があった場合（Ｓ５０３）、ＰＣ本体４０１は他の電気機器が動作しているか否かを検出する。動作していない場合は通常の電力線通信を行う（Ｓ５０４のＹＥＳ、Ｓ５０５）。掃除機本体２０２が動作している場合、検出方法を記す。掃除機本体２０２が動作時は電源スイッチ２０５がＯＮになっており、これをスイッチ検出２０６で検出する。中央演算装置２０７はこの情報をドライバレシーバ２０８、コンセントプラグ２０９を経由してＰＣ本体４０１に通知する。これによりＰＣ本体４０１は掃除機が動作していることを認識する（Ｓ５０６）。
【００２４】
掃除機が動作している事で、メモリ４１０に記憶された雑音信号レベルを読み出し、使用可能である電力線通信キャリアを選択する。雑音で妨害を受けないキャリアで電力線通信動作を開始する（Ｓ５０７）。電力線通信中に掃除機の動作が終了していない場合（Ｓ５０８のＮＯ）はこれまでのキャリアでの電力線通信を継続し（Ｓ５０９）、終了する（Ｓ５１０）。
【００２５】
掃除機の動作が終了した場合（Ｓ５０８のＹＥＳ）、記憶していた雑音帯域に電力線通信キャリアを拡大して通信動作を行い（Ｓ５１１）、終了する（Ｓ５１２）。
掃除機の動作終了は上述の動作開始の動作と同一の為説明は省略する。
【００２６】
これにより、家庭内の電力線通信は他の電気機器が動作中であるか否かを検出することで、電気機器が出力する種々の雑音で電力線通信の信号が妨害される事はなく行う事が出来る。
【００２７】
【発明の効果】
本発明によれば、同一の電力線に接続されている機器のＯＮ−ＯＦＦ情報を入手することが出来るので、あらかじめ記憶済みの接続されている機器の雑音帯域以外の帯域で電力線通信を開始できる。従って、通信を開始する手順の大幅な簡略化と、高速伝送できるという効果がある。
【図面の簡単な説明】
【図１】本発明の実施例における家庭内の配線図
【図２】本発明の実施例における掃除機の構成図
【図３】本発明の実施例におけるプリンタの構成図
【図４】本発明の実施例におけるＰＣの構成図
【図５】本発明の実施例におけるフローチャート
【符号の説明】
１０１…家庭内の電力線  １０２〜１０５…コンセント  ２０１…動作情報発信ボード  ２０２…掃除機本体  ２０３…電源線  ２０４…電源  ２０５…電源スイッチ  ２０６…スイッチ検出  ２０７…中央演算装置  ２０８…アナログフロントエンド  ２０９…コンセントプラグ  ３０１…プリンタ本体  ３０２…制御線  ３０３…電源線  ３０４…電力線通信部  ３０５…中央演算装置  ３０６…デジタルシグナルプロセッサ  ３０７…アナログフロントエンド  ３０８…ドライバレシーバ  ３０９…メモリ  ３１０…電源部  ３１１…コンセントプラグ  ４０１…ＰＣ本体  ４０２…マザーボード  ４０３…ＰＣＩバス  ４０４…ＰＣＩボード  ４０５…中央演算装置  ４０６…デジタルシグナルプロセッサ  ４０７…アナログフロントエンド  ４０８…ドライバレシーバ  ４０９…コンセントプラグ  ４１０…メモリ
【図１】
2004165950.tif 000003
【図２】
2004165950.tif 000004
【図３】
2004165950.tif 000005
【図４】
2004165950.tif 000006
【図５】
2004165950.tif 000007